(57)【要約】【課題】周囲が暗い環境下で車両が高速で走行している場合には、後方の車両を早期に視認できるようにミラーの反射率を適正に制御し、しかも任意の走行条件下における防眩性能を優れたものにする。【解決手段】インナミラー装置では、駆動制御回路３８が、後方光センサ３２により検出された後方光の強度と周囲光センサ３４により検出された周囲光の強度との差及び、車載ＥＴＣ装置４０から識別信号により判定した道路種別に応じて、ＥＣセル１８に印加する制御電圧ＶＣの電圧値を変化させてミラーユニット２８の反射率を変化させる。これにより、ミラーユニット２８の反射率を周囲光と後方光との強度差に応じて変化させることができると共に、車両１２が高速道路等の車両専用道路を走行しているか、車両専用道路以外の一般道路を走行しているかに応じても変化させることができる。【選択図】図２
2008168705.tif 000002
【特許請求の範囲】
【請求項１】
車両に配置される後方視認用のミラーユニットと、
前記ミラーユニットに設けられ、該ミラーユニットの反射率を増減する反射率調整手段と、
周囲環境における光の強度を検出する第１の光センサと、
後方から車両へ照射される光の強度を検出する第２の光センサと、
車両が車両専用道路のＥＴＣゲートを通過する際に、該車両に搭載されたＥＴＣ装置が受信するＥＴＣゲートからの無線信号により車両が車両専用道路及び車両専用道路以外の道路を走行しているかを判定する走行路判定手段と、
前記第１及び第２の光センサによりそれぞれ検出された光強度の差及び、前記走行路判定手段により判定された道路の種別に応じて、前記反射率調整手段により前記ミラーユニットの反射率を変化させる制御手段と、
を有することを特徴とする防眩ミラー装置。
【請求項２】
車両の走行速度を検出する速度センサを有し、
前記制御手段は、前記第１及び第２の光センサによりそれぞれ検出された強度の差及び、前記走行路判定手段により判定された道路の種別に加え、前記速度センサにより検出された走行速度に応じて、前記反射率調整手段により前記ミラーの反射率を変化させることを特徴とする請求項１記載の防眩ミラー装置。
【請求項３】
車両が車両専用道路のＥＴＣゲートを通過する際に、該ＥＴＣゲートと無線により交信可能なＥＴＣ装置を有することを特徴とする請求項１又は２記載の防眩ミラー装置。
【請求項４】
車両に配置される後方視認用のミラーユニットと、
前記ミラーユニットに設けられ、該ミラーユニットの反射率を増減する反射率調整手段と、
周囲環境における光の強度を検出する第１の光センサと、
後方から車両へ照射される光の強度を検出する第２の光センサと、
車両の走行速度を検出する速度センサと、
前記第１及び第２の光センサによりそれぞれ検出された光強度の差及び、前記速度センサにより検出された走行速度に応じて、前記反射率調整手段により前記ミラーユニットの反射率を変化させる制御手段と、
を有することを特徴とする防眩ミラー装置。
【発明の詳細な説明】
【技術分野】
【０００１】
本発明は、後方視認用のミラーの反射率が制御可能とされた車両用ミラー装置に関する。
【背景技術】
【０００２】
車両におけるインナミラー装置等として用いられる防眩ミラー装置としては、特許文献１に記載されたものが知られている。この特許文献１記載の防眩ミラー装置は、一対のガラス基板間にビオロゲン化合物等のゲル物質が封入されたＥＣセル及び、このＥＣセルの裏側に配置された反射板（ミラー）を備えている。この防眩ミラー装置では、駆動回路が周囲光センサ及び後方光センサによりそれぞれ検出された周囲光の強度及び後方から照射される後方光の強度の差に対応する制御電圧をＥＣセルに印加する。これにより、制御電圧の電圧値に応じてＥＣセルの光透過率が変化するので、防眩ミラーの光反射率が変化する。
【０００３】
具体的には、特許文献１記載の防眩ミラー装置では、後方光の強度が周囲光の強度に対して相対的に高い場合には、駆動回路は、防眩ミラーの光反射率を低下させるように制御電圧の電圧値を設定する。これにより、運転者が後方光により眩しさを感じることを効果的に抑制できる。
【特許文献１】特許第２７９８３３７号広報
【発明の開示】
【発明が解決しようとする課題】
【０００４】
ところで、周囲が暗い夜間等に、例えば、車両が高速道路等の車両専用道路を高速（例えば、８０ｋｍ以上）で走行している場合には、一般道路を低速走行している場合よりも、後方から高速で接近してくる車両を防眩ミラー装置により早期に視認できることが望ましい。
【０００５】
しかし、特許文献１記載の防眩ミラー装置では、周囲光の強度と後方光の強度のみを制御のパラメータとしてミラーの反射率を制御しているため、上記のような条件下ではミラーの反射率が比較的低いものになってしまい、後方の車両を早期に、すなわち後方の車両が遠距離にある状態で視認することが困難になる。
【０００６】
本発明の目的は、上記事実を考慮し、周囲が暗い環境下で車両が高速で走行している場合に、後方の車両を早期に視認できるようにミラーの反射率を適正に制御でき、しかも任意の走行条件下でも防眩性能が優れた防眩ミラー装置を提供することにある。
【課題を解決するための手段】
【０００７】
本発明の請求項１に係る防眩ミラー装置は、車両に配置される後方視認用のミラーユニットと、前記ミラーユニットに設けられ、該ミラーユニットの反射率を増減する反射率調整手段と、周囲環境における光の強度を検出する第１の光センサと、後方から車両へ照射される光の強度を検出する第２の光センサと、車両が車両専用道路のＥＴＣゲートを通過する際に、該車両に搭載されたＥＴＣ装置が受信するＥＴＣゲートからの無線信号により車両が車両専用道路及び車両専用道路以外の道路を走行しているかを判定する走行路判定手段と、前記第１及び第２の光センサによりそれぞれ検出された光強度の差及び、前記走行路判定手段により判定された道路の種別に応じて、前記反射率調整手段により前記ミラーユニットの反射率を変化させる制御手段と、を有することを特徴とする。
【０００８】
上記請求項１に係る防眩ミラー装置では、制御手段が、第１及び第２の光センサによりそれぞれ検出された光強度との差及び、走行路判定手段により判定された道路の種別に応じて、反射率調整手段によりミラーユニットの反射率を変化させることにより、ミラーユニットの反射率を周囲光と後方光との強度差に応じて変化させることができると共に、車両が走行する道路の種別に応じても変化させることができるので、例えば、第１及び第２の光センサによりそれぞれ検出された光の強度差が一定であっても、車両が平均的な走行速度の速い車両専用道路を走行する場合には、反射率設定手段によりミラーユニットの反射率を相対的に高めに設定でき、また車両が平均的な走行速度の遅い車両専用道路以外の道路（以下「一般道路」という。）を走行している場合にはミラーユニットの反射率を相対的に低めに維持できる。
【０００９】
また請求項１に係る防眩ミラー装置では、車両が車両専用道路のＥＴＣゲートを通過する際に、走行路判定手段が車両に搭載されたＥＴＣ装置が受信するＥＴＣゲートからの無線信号により車両が車両専用道路及び一般道路の何れかを走行しているかを判定することにより、車両が車両専用道路を走行しているか、一般道路を走行しているかを自動的に判定できる。
【００１０】
この結果、請求項１に係る防眩ミラー装置によれば、周囲が暗い環境下で、車両が車両専用道路を走行している場合には、一般道路を走行している場合と比較し、ミラーの反射率を相対的に高く制御できるので、高反射率のミラーユニットにより後方の車両を早期に視認できるようになり、またミラーユニットの反射率を、第１及び第２の光センサによりそれぞれ検出された光の強度差を含むパラメータに基づいて制御することにより、車両が車両専用道路及び一般道路の何れを走行している場合でも、視認者が眩しさを感じ難いようにミラーユニットの反射率を適正に制御できる。
【００１１】
また請求項２に係る防眩ミラー装置は、請求項１記載の防眩ミラー装置において、車両の走行速度を検出する速度センサを有し、前記制御手段は、前記第１及び第２の光センサによりそれぞれ検出された強度の差及び、前記走行路判定手段により判定された道路の種別に加え、前記速度センサにより検出された走行速度に応じて、前記反射率調整手段により前記ミラーの反射率を変化させることを特徴とする。
【００１２】
上記請求項２に係る防眩ミラー装置では、制御手段が、第１及び第２の光センサによりそれぞれ検出された強度の差及び、走行路判定手段により判定された道路の種別に加え、速度センサにより検出された走行速度に応じて反射率調整手段によりミラーユニットの反射率を変化させることにより、車両が車両専用道路を走行している場合に、車両が高速で走行していれば、ミラーユニットの反射率を相対的に高く制御でき、また車両が低速で走行していれば、ミラーユニットの反射率を相対的に低くできるので、周囲が暗い環境下で、車両が高速で車両専用道路を走行しているときには、高反射率のミラーユニットにより後方の車両を早期に視認できるようになり、また車両が低速で車両専用道路を走行しているときには、ミラーの視認者が眩しさを感じないようにミラーユニットからの反射率を適正に制御できる。
【００１３】
また請求項３に係る防眩ミラー装置は、請求項１又は２記載の防眩ミラー装置において、車両が車両専用道路のＥＴＣゲートを通過する際に、該ＥＴＣゲートと無線により交信可能なＥＴＣ装置を有することを特徴とする。
【００１４】
また請求項４に係る防眩ミラー装置は、車両に配置される後方視認用のミラーユニットと、前記ミラーユニットに設けられ、該ミラーユニットの反射率を増減する反射率調整手段と、周囲環境における光の強度を検出する第１の光センサと、後方から車両へ照射される光の強度を検出する第２の光センサと、車両の走行速度を検出する速度センサと、前記第１及び第２の光センサによりそれぞれ検出された光強度の差及び、前記速度センサにより検出された走行速度に応じて、前記反射率調整手段により前記ミラーユニットの反射率を変化させる制御手段と、を有することを特徴とする。
【００１５】
上記請求項４に係る防眩ミラー装置では、制御手段が、第１の光センサにより検出された周囲環境における光の強度と第２の光センサにより検出された後方光の強度との差及び、速度センサにより検出された走行速度に応じて、反射率調整手段によりミラーユニットの反射率を変化させることにより、ミラーユニットの反射率を、第１及び第２の光センサによりそれぞれ検出された光の強度差に応じて変化させることができると共に、車両の走行速度に応じても変化させることができるので、例えば、第１及び第２の光センサによりそれぞれ検出された光の強度差が一定であっても、車両が高速で走行している場合には、反射率設定手段によりミラーユニットの反射率を相対的に高めに制御し、また車両が低速で走行している場合にはミラーユニットの反射率を相対的に低めに制御できる。
【００１６】
この結果、請求項４に係る防眩ミラー装置によれば、道路種別に影響されることなく、周囲が暗い環境下で、車両が高速で走行している場合には、ミラーユニットの反射率を相対的に高くできるので、高反射率のミラーユニットにより後方の車両を早期に視認できるようになり、またミラーユニットの反射率を周囲光と後方光との強度差を含むパラメータに基づいて制御することにより、車両が高速で走行していても低速で走行していても、ミラーユニットの視認者が眩しさを感じ難いようにミラーユニットの反射率を適正化できる。
【発明の効果】
【００１７】
以上説明したように、本発明に係る防眩ミラー装置によれば、周囲が暗い環境下で車両が高速で走行している場合には、後方の車両を早期に視認できるようにミラーの反射率を適正に制御でき、しかも任意の走行条件下でも防眩性能が優れたものにできる。
【発明を実施するための最良の形態】
【００１８】
以下、本発明の実施形態に係る車両用ミラー装置について図面を参照して説明する。
【００１９】
（実施形態の構成）
図１には本発明の実施形態に係るインナミラー装置が車室内に配置された車両が示され、図２には本発明の実施形態に係るインナミラー装置のブロック図として示されている。図１に示されるように、インナミラー装置１０は、車両１２におけるフロントガラス１４における上端側の縁部に固定されており、車両１２の後方へ向って開口した本体ケース１７及び、下端側が本体ケース１７の裏面側中央部に連結されると共に、上端側がフロントガラス１４に固着されたベースプレート（図示省略）を介してフロントガラス１４に固定されるステー部１６を備えている。
【００２０】
図３に示されるように、インナミラー装置１０には、本体ケース１７にプレート状のＥＣ（エレクトロクロミック）セル１８及び、反射鏡としてミラー２０が配置されている。ＥＣセル１８は本体ケース１７の開口部を閉止しており、一定の間隔（隙間）を空けて互いに対向一対のガラス基板２２、２４及び、これらのガラス基板２２、２４間に封入されるビオロゲン化合物等のゲル物質２６を備えている。またミラー２０は本体ケース１７内に配置され、ガラス基板２４裏面部に面接触状態となるように当接している。ここで、ＥＣセル１８及びミラー２０は、車両１２の運転者が後方を視認するためのミラーユニット２８を構成している。
【００２１】
ミラー２０には、その周縁部に窓部３０が形成されており、本体ケース１７内には窓部３０に面するように後方光センサ３２が配置されている。これにより、車両１２の後方からＥＣセル１８へ光が入射すると、その一部が窓部３０を通して本体ケース１７内へ進入し、後方光センサ３２により受光される。これにより、後方光センサ３２は、車両１２の後方を走行する他の車両のヘッドライト等から入射する光（後方光）の強度に対応する検出信号を出力する。
【００２２】
また本体ケース１７には周囲光センサ３４が配置されており、この周囲光センサ３４は、その受光部（図示省略）がフロントガラス１４に面しており、フロントガラス１４を通して車両１２の外部から車室内に入射する光の一部を受光可能とされている。これにより、周囲光センサ３４は、車両１２の周囲における明るさ（周囲光の強度）に対応する検出信号を出力する。
【００２３】
図２に示されるように、インナミラー装置１０は、比較判定回路３６及び駆動制御回路３８を備えている。比較判定回路３６には、後方光センサ３２及び周囲光センサ３４からそれぞれ出力される検出信号が入力し、これらの検出信号により後方からの後方光の強度と周囲光の強度とをそれぞれ判断すると共に、後方光と周囲光との強度差を演算する。駆動制御回路３８は、比較判定回路３６により得られた周囲光の光強度及び、後方光と周囲光のとの光強度との差に基づいて、ＥＣセル１８に印加する制御電圧ＶＣの電圧値を決定し、この制御電圧ＶＣを車両１２の作動時にＥＣセル１８に印加する。このとき、駆動制御回路３８は、例えば、イグニッションキースイッチ（図示省略）がＡＣＣ及びＯＮの何れかの状態になっているときに、車両１２が作動時であると判断する。
【００２４】
ＥＣセル１８は、制御電圧ＶＣの電圧値に応じて着色濃度が変化する特性を有しており、具体的には、制御電圧ＶＣの電圧値が高くなるに従い、着色濃度が上昇して光透過率が低下し、制御電圧ＶＣの電圧値が低くなるに従い、着色濃度が低下して光透過率が上昇する。従って、インナミラー装置１０では、制御電圧ＶＣを制御することにより、ＥＣセル１８及びミラー２０からなるミラーユニット２８の反射率（光反射率）を変化させることができる。
【００２５】
図２に示されるように、インナミラー装置１０は、本体ケース１７内に配置された車載ＥＴＣ装置４０及び、この車載ＥＴＣ装置４０にシールドケーブルを介して接続されたＥＴＣアンテナ４２を備えている。ＥＴＣアンテナ４２は、例えば、ステー部１６に取り付けられ、その受信部が車両１２の斜め上方付近を指向するように支持されている。
【００２６】
ここで、車載ＥＴＣ装置４０は、車両１２が高速道路等の車両専用道路のＥＴＣゲート（図示省略）を通過する際に、ＥＴＣゲートの送受信部に対して所定のプロトコルに従って電波信号により通信し、ＥＴＣゲートとの間で通行料金の課金手続を行う。このとき、車載ＥＴＣ装置４０は、ＥＴＣゲートからの電波信号により車両専用道路への入場及び車両専用道路からの退場を判断し、この車両専用道路への入場及び車両専用道路からの退場にそれぞれ対応する識別信号を駆動制御回路３８へ出力する。また駆動制御回路３８には、車両１２に搭載され、走行速度を検出する速度センサ４４から出力される車速信号が直接、又は車両１２の中央制御部（図示省略）を介して入力する。
【００２７】
次に、本実施形態に係る駆動制御回路３８によるミラーユニット２８に対する反射率の制御方法について説明する。駆動制御回路３８は、周囲光の強度、比較判定回路３６により演算された周囲光と後方光との強度差、車載ＥＴＣ装置４０からの識別信号及び速度センサ４４からの車速信号をそれぞれ制御パラメータとして、ＥＣセル１８に印加する制御電圧ＶＣを段階的に変化させる。これにより、制御電圧ＶＣの変化に応じてミラーユニット２８の反射率も段階的に変化することになる。具体的には、駆動制御回路３８は、上記制御パラメータに基づいて、ミラーユニット２８の反射率を６段階（反射率レベルＲ＝１〜６）に変化させる。
【００２８】
図４には、駆動制御回路３８によるミラーユニット２８に対する反射率の制御方法がフローチャートにより示されている。このフローチャートに示されるように、駆動制御回路３８は、ステップ１００で周囲光の強度を判断し、周囲光の強度が所定の判定値Ｓを超えている場合には、ステップ２００へ移行してミラーユニット２８の反射率が最も高く（Ｒ＝６）なるように制御電圧ＶＣの電圧値を設定する。ここで、ステップ１００における判定値Ｓは周囲の明るさが夜間のレベルにあるか、昼間のレベルかを判断するためのものであり、周囲光の強度が判定値Ｓを超えている場合には昼間のレベルと判断される。
【００２９】
なお、このときのミラーユニット２８の反射率レベルＲを６とし、以下では、反射率レベルＲが６から１単位で小さくなるに従ってミラーユニット２８の反射率が低下するものとして説明を行う。
【００３０】
また駆動制御回路３８は、ステップ１００で周囲光の強度が判定値Ｓ以下の場合には、周囲の明るさが夜間のレベルにあると判断する。この場合、駆動制御回路３８は、ステップ１１０へ移行し、車載ＥＴＣ装置４０からの識別信号により道路の種別を判断する。このとき、駆動制御回路３８は、車両１２が車両専用道路を走行するか、又は一般道路を走行するか判断する。
【００３１】
次いで、ステップ１２０で、駆動制御回路３８は速度センサ４４からの車速信号に基づいて車両１２の走行速度を判断する。このとき、駆動制御回路３８は、例えば、走行速度が８０ｋｍ／ｈ以上の場合には、車両１２が高速走行していると判断し、また８０ｋｍ／ｈ未満の場合には、車両１２が低速走行していると判断する。
【００３２】
最後に、ステップ１３０で、駆動制御回路３８は比較判定回路３６により得られた後方光と周囲光のとの光強度との差が大であるか、又は小であるかを判断し後、ステップ１４０で道路の種別、走行速度及び後方光と周囲光のとの光強度との差（制御パラメータ）に基づいて内部メモリ（図示省略）のデータテーブルから反射率レベルＲを読み取り、ステップ１５０で反射率レベルＲに対応する電圧値の制御電圧ＶＣをＥＣセル１８に印加する。
【００３３】
なお、駆動制御回路３８は、図４に示されるステップ１００〜２００のルーチンを車両１２の作動中に一定の周期間隔（例えば、５秒間隔）毎に実行し、ミラーユニット２８の反射率を必要に応じて周期的に変化させる。
【００３４】
下記[表１]には、駆動制御回路３８における内部メモリ（図示省略）のデータテーブルに設定された各制御パラメータと、各制御パラメータの組み合わせに対応する反射率レベルＲが示されている。
【００３５】
【表１】
2008168705.tif 000003
【００３６】
（実施形態の作用）
次に、上記のように構成された本実施形態に係るインナミラー装置１０の作用を説明する。
【００３７】
インナミラー装置１０では、駆動制御回路３８が、後方光センサ３２により検出された後方光の強度と周囲光センサ３４により検出された周囲光の強度との差及び、車載ＥＴＣ装置４０から識別信号により判定した道路種別に応じて、ＥＣセル１８に印加する制御電圧ＶＣの電圧値を変化させてミラーユニット２８の反射率を変化させることにより、ミラーユニット２８の反射率を周囲光と後方光との強度差に応じて変化させることができると共に、車両１２が高速道路等の車両専用道路を走行しているか、車両専用道路以外の一般道路を走行しているかに応じても変化させることができるので、後方光センサ３２及び周囲光センサ３４によりそれぞれ検出された光の強度差が一定であっても、車両１２が車両専用道路を走行する場合には、ＥＣセル１８によりミラーユニット２８の反射率を相対的に高めに制御でき、また車両が一般道路を走行している場合にはミラーユニット２８の反射率を相対的に低めに制御できる。
【００３８】
またインナミラー装置１０では、車両１２が車両専用道路の出口及び入口にそれぞれ設置されたＥＴＣゲートを通過する際に、駆動制御回路３８が車載ＥＴＣ装置からの識別信号により車両１２が車両専用道路及び一般道路を走行しているかを判定することにより、車両１２が車両専用道路を走行するか、一般道路を走行中であるかを自動的に判定できる。
【００３９】
この結果、インナミラー装置１０置によれば、周囲が暗い環境下で、車両１２が車両専用道路を走行している場合には、一般道路を走行している場合と比較し、ミラーユニット２８の反射率を相対的に高く制御できるので、高反射率のミラーユニットにより後方の車両を早期に視認できるようになり、またミラーユニットの反射率を、第１及び第２の光センサによりそれぞれ検出された光の強度差を含むパラメータに基づいて制御することにより、車両が車両専用道路及び一般道路の何れを走行している場合でも、視認者が眩しさを感じ難いようにミラーユニットからの反射率を適正に制御できる。
【００４０】
またインナミラー装置１０では、駆動制御回路３８が、後方光センサ３２及び周囲光センサ３４によりそれぞれ検出された強度の差及び、車載ＥＴＣ装置４０からの識別信号により判定した道路種別に加え、速度センサ４４により検出された走行速度に応じてＥＣセル１８によりミラーユニット２８の反射率を変化させることにより、車両１２が車両専用道路を走行している場合に、車両１２が高速で走行していれば、ミラーユニット２８の反射率を相対的に高く制御でき、また車両１２が低速で走行していれば、ミラーユニット２８の反射率を相対的に低くできるので、周囲が暗い環境下で、車両１２が高速で車両専用道路を走行している場合には、高反射率のミラーユニットにより後方の車両を早期に視認できるようになり、車両１２が低速で車両専用道路を走行している場合には、ミラーの視認者が眩しさを感じないようにミラーユニットからの反射率を適正に制御できる。
光との強度差を制御パラメータとして、ミラーユニット２８の反射率を制御していたが、本実施形態に係る制御パラメータから車速を省略し、道路種別及び周囲光と後方光との強度差のみを制御パラメータとしてミラーユニット２８の反射率を制御することも、また本実施形態に係る制御パラメータから道路種別を省略し、車速及び周囲光と後方光との強度差のみを制御パラメータとしてミラーユニット２８の反射率を制御することも可能である。
【００４１】
下記[表２]には、制御パラメータとして道路種別及び周囲光と後方光との強度差を用いた場合の各制御パラメータの組み合わせに対応する反射率レベルＲの一例が示されている。
【００４２】
【表２】
2008168705.tif 000004
この場合には、駆動制御回路３８は、車両１２が車両専用道路を走行しているが、一般道路を走行しているかを判断すると共に、周囲光と後方光との強度差が小さいか大きいかを判断し、これらの判断に応じてミラーユニット２８の反射率として４段階の反射率レベルＲ（１〜４）の何れかを選択し、この反射率レベルＲに対応する制御電圧ＶＣをＥＣセル１８に印加する。これにより、ミラーユニット２８の反射率が選択された反射率レベルＲに対応する反射率に制御される。
【００４３】
この場合にも、インナミラー装置１０によれば、周囲が暗い環境下で、車両１２が車両専用道路を走行している場合には、一般道路を走行している場合と比較し、ミラーユニット２８の反射率を相対的に高く制御できるので、高反射率のミラーユニットにより後方の車両を早期に視認できるようになり、またミラーユニットの反射率を、第１及び第２の光センサによりそれぞれ検出された光の強度差を含むパラメータに基づいて制御することにより、車両が車両専用道路及び一般道路の何れを走行している場合でも、視認者が眩しさを感じ難いようにミラーユニットからの反射率を適正に制御できる。
【００４４】
また下記[表３]には、制御パラメータとして車速及び周囲光と後方光との強度差を用いた場合の各制御パラメータの組み合わせに対応する反射率レベルＲの一例が示されている。
【００４５】
【表３】
2008168705.tif 000005
この場合には、駆動制御回路３８は、車両１２の車速が速いか遅いか判断すると共に、周囲光と後方光との強度差が小さいか大きいかを判断し、これらの判断に応じてミラーユニット２８の反射率として４段階の反射率レベルＲ（１〜４）の何れかを選択し、この反射率レベルＲに対応する制御電圧ＶＣをＥＣセル１８に印加する。これにより、ミラーユニット２８の反射率が選択された反射率レベルＲに対応する反射率に制御される。
【００４６】
この場合、駆動制御回路３８が、速度センサ４４により検出された走行速度及び周囲光と後方光との強度差に応じて、ＥＣセル１８によりミラーユニット２８の反射率を変化させることにより、ミラーユニット２８の反射率を走行速度に応じて変化させることができると共に、周囲光と後方光との強度差に応じても変化させることができるので、周囲光と後方光との強度差が一定であっても、車両１２が高速で走行している場合には、ＥＣセル１８によりミラーユニット２８の反射率を相対的に高めに制御し、また車両１２が低速で走行している場合にはミラーユニット２８の反射率を相対的に低めに制御できる。
【００４７】
この結果、道路種別に影響されることなく、周囲が暗い環境下で、車両１２が高速で走行している場合には、ミラーユニット２８の反射率を相対的に高くできるので、高反射率のミラーユニット２８により後方の車両を早期に視認できるようになり、またミラーユニット２８の反射率を周囲光と後方光との強度差を含む制御パラメータに基づいて制御することにより、車両１２が高速で走行していても低速で走行していても、ミラーユニット２８の視認者が眩しさを感じ難いようにミラーユニット２８の反射率を適正化できる。
【００４８】
なお、本実施形態では、本発明に係る防眩ミラー装置を車両におけるインナミラー装置１０に適用した場合について説明したが、本発明に係る防眩ミラー装置は、インナミラー装置１０以外に、ドアミラー、フェンダーミラー等の後方視認用の各種ミラー装置にも適用できることは言うまでもない。
【図面の簡単な説明】
【００４９】
【図１】本発明の実施形態に係るインナミラー装置が適用された車両におけるフロントガラス付近の構成を示す側面図である。
【図２】図１に示されるインナミラーの構成を示すブロック図である。
【図３】図１に示されるインナミラーにおけるＥＣセルの構成を示す一部をブロック図として側面断面図である。
【図４】図１に示されるインナミラーにおける駆動制御回路によるミラーユニットに対する反射率の制御方法を示すフローチャートである。
【符号の説明】
【００５０】
１０ インナミラー装置（防眩ミラー装置）
１８ ＥＣセル（反射率調整手段）
２８ ミラーユニット
３２ 後方光センサ（第２の光センサ）
３４ 周囲光センサ（第１の光センサ）
３６ 比較判定回路
３８ 駆動制御回路（制御手段、反射率調整手段、走行路判定手段）
４０ 車載ＥＴＣ装置（走行路判定手段）
４４ 速度センサ
【図１】
2008168705.tif 000006
【図２】
2008168705.tif 000007
【図３】
2008168705.tif 000008
【図４】
2008168705.tif 000009